(57)【要約】【課題】  外縁に設けられた剥離用タブ９を引っ張って、基材３上を覆う表面材４を基材３から剥離することにより、基材３側から形成された湯切り孔形成用ハーフカット６の内側部分を表面材４に随伴させて除去することで湯切り孔７を現出させる湯切り蓋材１において、湯切り孔形成用ハーフカット６が規定する湯切り孔７の形状を細長い形状とした場合でも、表面材４の剥離時に、該湯切り孔形成用ハーフカット６の内側部分を確実に表面材４に随伴して除去して湯切り孔７を現出させることができるようにし、湯切り孔７のデザインの自由度を高めることができるようにする。【解決手段】  剥離用タブ９を、湯切り孔形成用ハーフカット６が規定する細長い湯切り孔７の幅方向の外縁に設ける。【選択図】      図３
2005082173.tif 000002
【特許請求の範囲】
【請求項１】
外縁に設けられた剥離用タブを引っ張って、基材上を覆う表面材を基材から剥離することにより、基材側から形成された湯切り孔形成用ハーフカットの内側部分を表面材に随伴させて除去することで湯切り孔を現出させる湯切り蓋材において、
湯切り孔形成用ハーフカットが規定する湯切り孔の形状が細長い形状をなし、しかも剥離用タブが、湯切り孔形成用ハーフカットが規定する湯切り孔の幅方向の外縁に設けられていることを特徴とする湯切り蓋材。
【請求項２】
湯切り孔形成用ハーフカットを形成した領域の基材上を覆う表面材を他の領域の表面材から切り離して剥離可能とする切り離し用ハーフカットが表面材を横断して形成されており、湯切り孔形成用ハーフカットが、当該湯切り孔形成用ハーフカットが規定する湯切り孔の長さ方向を切り離し用ハーフカットと交差する方向に向けて形成されていると共に、剥離用タブが切り離し用ハーフカットの一端部に隣接して設けられていることを特徴とする請求項１に記載の湯切り蓋材。
【請求項３】
湯切り孔形成用ハーフカットを形成した領域の基材上を覆う表面材を他の領域の表面材から切り離して剥離可能とする切り離し用ハーフカットが表面材を横断して形成されており、湯切り孔形成用ハーフカットが、当該湯切り孔形成用ハーフカットが規定する湯切り孔の長さ方向を切り離し用ハーフカットと略平行方向にして形成されていると共に、剥離用タブが、湯切り孔形成用ハーフカットを挟んで切り離し用ハーフカットと対向する位置に設けられていることを特徴とする請求項１に記載の湯切り蓋材。
【請求項４】
湯切り孔形成用ハーフカットを形成した領域の基材上を覆う表面材を他の領域の表面材から切り離して剥離可能とする切り離し用ハーフカットが表面材を舌片状に区画して形成されており、剥離用タブが該舌片状区画領域の外縁に設けられていると共に、湯切り孔形成用ハーフカットが、当該湯切り孔形成用ハーフカットが規定する湯切り孔の幅方向を剥離用タブに向けて形成されていることを特徴とする請求項１に記載の湯切り蓋。
【請求項５】
基材と表面材が、全領域に亘ってほぼ均一な接着力で剥離可能に積層されていることを特徴とする請求項１〜４のいずれか１項に記載の湯切り蓋材。
【請求項６】
湯切り孔形成用ハーフカットが規定する湯切り孔の形状が長円形であることを特徴とする請求項１〜５のいずれか１項に記載の湯切り蓋材。
【発明の詳細な説明】
【技術分野】
【０００１】
本発明は、例えば即席焼きそばやスパゲッティなどのように、注湯後に湯切りして調理される即席食品のパッケージなどとして使用される湯切り蓋材に関する。
【背景技術】
【０００２】
従来、湯切り蓋材としては、積層フィルムで基材を構成すると共に、この基材上を覆う表面材を、カオリン、炭酸カルシウム、ラテックス、カゼインを主成分とする表面コート層を有する紙層で構成し、基材と表面材を、上記表面コート層を離型層として介在させて、ポリエチレンなどの接着樹脂で剥離可能に積層し、外縁に設けられた剥離用タブを引っ張って表面材を基材から剥離させた時に、基材側から形成した湯切り孔形成用ハーフカットの内側部分が表面材に随伴して除去されて湯切り孔が現出するようにしたものが知られている（例えば、特許文献１参照）。
【０００３】
【特許文献１】特開２００２−９６８７９号公報
【発明の開示】
【発明が解決しようとする課題】
【０００４】
ところで、上記従来の湯切り蓋材は、湯切り孔形成用ハーフカットが規定する湯切り孔の形状が円形である場合には大きな問題はないが、湯切り孔を細長い形状とした場合、表面材の剥離時に、湯切り孔形成用ハーフカットの内側部分が表面材に随伴せずに基材側に残留してしまい、湯切り孔を開口させられなくなる場合がある。また、湯切り孔形成用ハーフカットの内側部分が表面材に随伴せずに基材側に残留してしまった場合、当該部分がわずかな力で容器内へ脱落して内容物に混入してしまうことも生じ、衛生上好ましくなく、また湯切り孔のデザインが制限される問題がある。
【０００５】
本発明は上記問題点に鑑みてなされたもので、湯切り孔形成用ハーフカットが規定する湯切り孔の形状を細長い形状とした場合でも、表面材の剥離時に、該湯切り孔形成用ハーフカットの内側部分を確実に表面材に随伴して除去して湯切り孔を現出させることができるようにし、湯切り孔のデザインの自由度を高めることができるようにすることを目的とする。
【課題を解決するための手段】
【０００６】
本発明は、湯切り孔形成用ハーフカットが規定する湯切り孔の形状が細長い形状の場合、湯切り孔の長さ方向に表面材を剥離すると、湯切り孔形成用ハーフカットの内側部分が大きく撓みながら基材側から分離されることになり、弾性反発力によって表面材から剥離して基材側に残留してしまうのに対し、湯切り孔の幅方向に表面材を剥離すると、湯切り孔形成用ハーフカットの内側部分が大きく撓むことなく基材側から分離されることで、確実に除去できることを見出したことによってなされたものである。
【０００７】
即ち、本発明は、外縁に設けられた剥離用タブを引っ張って、基材上を覆う表面材を基材から剥離することにより、基材側から形成された湯切り孔形成用ハーフカットの内側部分を表面材に随伴させて除去することで湯切り孔を現出させる湯切り蓋材において、湯切り孔形成用ハーフカットが規定する湯切り孔の形状が細長い形状をなし、しかも剥離用タブが、湯切り孔形成用ハーフカットが規定する湯切り孔の幅方向の外縁に設けられていることを特徴とする湯切り蓋材を提供するものである。
【０００８】
また、上記本発明は、湯切り孔形成用ハーフカットを形成した領域の基材上を覆う表面材を他の領域の表面材から切り離して剥離可能とする切り離し用ハーフカットが表面材を横断して形成されており、湯切り孔形成用ハーフカットが、当該湯切り孔形成用ハーフカットが規定する湯切り孔の長さ方向を切り離し用ハーフカットと交差する方向に向けて形成されていると共に、剥離用タブが切り離し用ハーフカットの一端部に隣接して設けられていること、
湯切り孔形成用ハーフカットを形成した領域の基材上を覆う表面材を他の領域の表面材から切り離して剥離可能とする切り離し用ハーフカットが表面材を横断して形成されており、湯切り孔形成用ハーフカットが、当該湯切り孔形成用ハーフカットが規定する湯切り孔の長さ方向を切り離し用ハーフカットと略平行方向にして形成されていると共に、剥離用タブが、湯切り孔形成用ハーフカットを挟んで切り離し用ハーフカットと対向する位置に設けられていること、
湯切り孔形成用ハーフカットを形成した領域の基材上を覆う表面材を他の領域の表面材から切り離して剥離可能とする切り離し用ハーフカットが表面材を舌片状に区画して形成されており、剥離用タブが該舌片状区画領域の外縁に設けられていると共に、湯切り孔形成用ハーフカットが、当該湯切り孔形成用ハーフカットが規定する湯切り孔の幅方向を剥離用タブに向けて形成されていること、
基材と表面材が、全領域に亘ってほぼ均一な接着力で剥離可能に積層されていること、
湯切り孔形成用ハーフカットが規定する湯切り孔の形状が長円形であること、
をその好ましい態様として含むものである。
【発明の効果】
【０００９】
本発明によれば、湯切り孔形成用ハーフカットが規定する湯切り孔の形状を細長い形状としても、表面材の剥離時に、該湯切り孔形成用ハーフカットの内側部分を確実に表面材に随伴して除去して湯切り孔を現出させることができるので、湯切り孔の形状として円形以外の細長い形状を採用することができ、湯切り孔のデザインの自由度を高めることができるものである。
【発明を実施するための最良の形態】
【００１０】
まず、図１〜図３に基づいて本発明の湯切り蓋材の第１の例を説明する。
【００１１】
図１は本発明の第１の例に係る湯切り蓋材を使用した即席食品パッケージの一例を平面図、図２は図１に示される即席食品パッケージの側面図、図３は図１に示される湯切り蓋材の表面材の一部を剥離して湯切り孔を現出させる途中段階の平面図である。
【００１２】
図１及び図２に示されるように、湯切り蓋材１は、容器２の開口部周縁にヒートシールされて、即席食品（図示されていない）が入った容器２内を密封している。また、湯切り蓋材１は、図２に示されるように、基材３上を覆って表面材４を剥離可能に積層した積層体で構成されている。
【００１３】
湯切り蓋材１の一縁部は容器２よりも外方に延出して開封用タブ５を構成している。この開封用タブ５は、容器１内に注湯するために、湯切り蓋材１を部分的に容器１から剥離するためのもので、湯切り蓋材１を構成する基材３と表面材４の外縁の一部を容器１の外縁より外方に突出させることで形成されている。
【００１４】
上記開封用タブ５とは反対側の縁部に片寄った領域には、湯切り孔形成用ハーフカット６が形成されている。湯切り孔形成用ハーフカット６は、その内側部分が除去されることで現出する湯切り孔７（図３参照）を規定するもので、図２に示される基材１側から基材１を貫通して形成されている。
【００１５】
図示される湯切り孔形成用ハーフカット６は、両側辺が平行で両端が円弧状の長円形の湯切り孔７（図３参照）を規定するものとなっているが、本発明における湯切り孔形成用ハーフカット６が規定する湯切り孔７の形状は、細長い形状であれば、長方形や楕円形などとすることもできる。但し、表面材４の剥離時に、湯切り孔形成用ハーフカット６の内側部分が基材３側から滑らかに抜け出やすいことから、上記長円形が好ましい。
【００１６】
上記湯切り孔形成用ハーフカット６が形成された領域の基材３上を覆う表面材４と、その他の領域の表面材４との間には、表面材４を横断して、例えばミシン目、断続的なスリット、連続したスリットなどの切り離し用ハーフカット８が形成されている。この切り離し用ハーフカット８は、湯切り孔形成用ハーフカット６を形成した領域の基材３上を覆う表面材４を他の領域の表面材４から切り離して剥離できるようにするためのもので、表面材４側から形成されている。この切り離し用ハーフカット８は必須のものではなく、これを省略して、全領域に亘って表面材４を剥離して湯切り孔７（図３参照）を現出させるようにすることもできる。しかし、切り離し用ハーフカット８を設けておくと、湯切り孔７を現出させるための表面材４の剥離領域を最小限に抑えることができ、剥離作業が容易となると共に、表面に施されている印刷表示を残すことができるので好ましい。
【００１７】
上記切り離し用ハーフカット８の一端に隣接して剥離用タブ９が形成されている。剥離用タブ９は、表面材４を剥離するときの手掛かりとして設けられているもので、本例における剥離用タブ９は、切り離し用ハーフカット８の一端に隣接して、湯切り蓋材１の外縁に切り欠き部１０を形成することで設けられている。また、前記湯切り孔形成用ハーフカット６は、当該湯切り孔形成用ハーフカット６が規定する湯切り孔７（図３参照）の長さ方向を切り離し用ハーフカット８と交差する方向（本例においては切り離し用ハーフカット８と略直交する方向）に向けて形成されており、剥離用タブ９は、湯切り孔形成用ハーフカット６が規定する湯切り孔７の幅方向の外縁に位置している。
【００１８】
次に、本例の即席食品パッケージの使用手順を図３で説明する。
【００１９】
使用手順には２通りあり、その第１は、開封用タブ５を引っ張って、部分的に湯切り蓋材１を容器２から剥離して口を開け、容器２内に湯を注ぎ込んで所要時間おいた後、剥離用タブ９から湯切り孔形成用ハーフカット６上の表面材４を剥離して湯切り孔７を現出させる手順である。第２は、上記と同様にして、部分的に湯切り蓋材１を容器２から剥離して口を開けると共に、湯切り孔７を現出させた後、容器２内に湯を注ぎ込んで所要時間おく手順である。特に後者は、容器２内に湯を注ぎ込む前に表面材４を剥離することになるので、表面材４の剥離時に湯をこぼしにくい手順である。
【００２０】
上記いずれの手順を経た場合でも、所定時間経過後、容器２を湯切り孔７側に傾けて容器２内の湯を排出してから、湯切り蓋材１を総て除去して喫食に供されるものである。
【００２１】
本例における表面材４の剥離は、剥離用タブ９部分の表面材４を切り欠き部１０側から引き起こして引っ張ることで行われる。この剥離の起点となる剥離用タブ９が、湯切り孔形成用ハーフカット６が規定する湯切り孔７の幅方向の外縁に設けられていることから、表面材４の剥離は、湯切り孔形成用ハーフカット６が規定する湯切り孔７の幅方向から行われることになり、湯切り孔形成用ハーフカット６の内側部分は大きく撓むことなく基材３側から分離され、確実に湯切り孔７を現出させることができる。特に本例においては、切り離し用ハーフカット８が設けられていて、剥離用タブ９がこれに隣接して設けられていることから、剥離した表面材４の一部を切り離し用ハーフカット８に沿って切り離しながら剥離することになり、引き起こした剥離用タブ９部分の表面材４を引っ張る力が切り離し用ハーフカット８と平行方向へ誘導されやすく、上記湯切り孔形成用ハーフカット６が規定する湯切り孔７の幅方向からの剥離が一層確実に行われやすくなる。
【００２２】
次に、図４〜図６に基づいて本発明の湯切り蓋材の第２の例を説明する。
【００２３】
図４は本発明の第２の例に係る湯切り蓋材を使用した即席食品パッケージの一例を平面図、図５は図４に示される即席食品パッケージの側面図、図６は図４に示される湯切り蓋材の表面材の一部を剥離して湯切り孔を現出させる途中段階の平面図で、これらにおいて、図１〜図３と同じ符号は同じ部材又は部位を示すものである。
【００２４】
図４及び図５に示されるように、本例の湯切り孔形成用ハーフカット６は、切り離し用ハーフカット８と略平行に設けられている。また、剥離用タブ９は、湯切り孔形成用ハーフカット６が規定する湯切り孔７（図６参照）の幅方向の外縁に位置している。具体的には、本例の剥離用タブ９は、図１及び図２に示されるように、湯切り孔形成用ハーフカット６を挟んで切り離し用ハーフカット８と対向する位置において、基材３と表面材４を部分的に容器１の外縁より外方に突出させる一方、この突出部分の基部を横断して、基材３側から剥離開始用ハーフカット１１を形成しておくことで設けられている。この剥離開始用ハーフカット１１は、剥離用タブ９部分全体を摘んで引っ張ることで表面材４を基材３から剥離できるよう、剥離用タブ９部分の基材３を切り離しておくためのもので、基材３を貫通して形成されている。
【００２５】
本例の表面材４の剥離は、図６に示されるように、剥離用タブ９から切り離し用ハーフカット８に向かって行われるので、湯切り孔形成用ハーフカット６が規定する湯切り孔７の幅方向から行われることになり、湯切り孔形成用ハーフカット６の内側部分が大きく撓む前に基材３側から分離されてしまうことで、これを確実に除去して湯切り孔７を現出させることができる。特に本例の場合、剥離用タブ９から湯切り孔形成用ハーフカット６までの距離を短くしやすいことから、剥離方向のずれを防止しやすい。
【００２６】
更に、図７〜図９に基づいて本発明の湯切り蓋材の第３の例を説明する。
【００２７】
図７は本発明の第３の例に係る湯切り蓋材を使用した即席食品パッケージの一例を平面図、図８は図７に示される即席食品パッケージの側面図、図９は図７に示される湯切り蓋材の表面材の一部を剥離して湯切り孔を現出させる途中段階の平面図で、これらにおいて、図１〜図３と同じ符号は同じ部材又は部位を示すものである。
【００２８】
図７及び図８に示されるように、本例の切り離し用ハーフカット８は、表面材４を舌片状に区画して形成されており、剥離用タブ９は、この舌片状区画領域の外縁に設けられており、その基部には第２の例で説明した剥離開始用ハーフカット１１が形成されている。また、湯切り孔形成用ハーフカット６は、湯切り孔形成用ハーフカット６が規定する湯切り孔７（図９参照）の幅方向を剥離用タブ９に向けて形成されている。つまり、湯切り孔形成用ハーフカット６が規定する湯切り孔７の幅方向の外縁に剥離用タブ９が位置している。尚、図示される舌片状区画領域はＵ字型であるが、例えば矩形、三角形、Ｗ字型などとすることもできる。
【００２９】
本例の表面材４の剥離は、図９に示されるように、切り離し用ハーフカット８で区画された舌片状区画領域について行われるので、ごく狭い領域の表面材４を剥離するだけで済み、剥離作業が容易となる。また、舌片状区画領域を、剥離用タブ９の両側に位置する切り離し用ハーフカット８に沿って切り離しながら引き剥がすことになることから、剥離方向を、湯切り孔形成用ハーフカット６が規定する湯切り孔７の幅方向に確実に誘導できる利点がある。
【００３０】
本発明は、基材３と表面材４が、全領域に亘ってほぼ均一な接着力で剥離可能に積層されている場合に特に有効である。このような湯切り蓋材１の積層構造としては、従来例として説明した積層構造の他に、容器２側から、ポリエチレンなどのシーラント層／アルミ箔又はアルミ蒸着膜などの金属層／ポリエチレンなどの接着樹脂層／紙層の順に積層した基材３と、ポリエチレンテレフタレートなどの表層単層またはその容器２側にポリオレフィン系樹脂層を積層した表面材４とを、ポリエチレンやポリプロピレンなどのポリオレフィン系樹脂層である接着樹脂層を介して積層し、基材３の紙層と接着樹脂層の界面を剥離面としたものなどを挙げることができる。
【図面の簡単な説明】
【００３１】
【図１】本発明の第１の例に係る湯切り蓋材を使用した即席食品パッケージの一例を平面図である。
【図２】図１に示される即席食品パッケージの側面図である。
【図３】図１に示される湯切り蓋材の表面材の一部を剥離して湯切り孔を現出させる途中段階の平面図である。
【図４】本発明の第２の例に係る湯切り蓋材を使用した即席食品パッケージの一例を平面図である。
【図５】図４に示される即席食品パッケージの側面図である。
【図６】図４に示される湯切り蓋材の表面材の一部を剥離して湯切り孔を現出させる途中段階の平面図である。
【図７】本発明の第３の例に係る湯切り蓋材を使用した即席食品パッケージの一例を平面図である。
【図８】図７に示される即席食品パッケージの側面図である。
【図９】図７に示される湯切り蓋材の表面材の一部を剥離して湯切り孔を現出させる途中段階の平面図である。
【符号の説明】
【００３２】
１    湯切り蓋材
２    容器
３    基材
４    表面材
５    開封用タブ
６    湯切り孔形成用ハーフカット
７    湯切り孔
８    切り離し用ハーフカット
９    剥離用タブ
１０  剥離開始用ハーフカット
１１  剥離開始用ハーフカット
【図１】
2005082173.tif 000003
【図２】
2005082173.tif 000004
【図３】
2005082173.tif 000005
【図４】
2005082173.tif 000006
【図５】
2005082173.tif 000007
【図６】
2005082173.tif 000008
【図７】
2005082173.tif 000009
【図８】
2005082173.tif 000010
【図９】
2005082173.tif 000011